(57)【要約】  本開示の一実施形態による方法は、表示面（ＳＳ）を叩いている物体に対応する画像を取り込むこと、及びその画像をコンピュータコマンドとして解釈することを含む。
2008524697.tif 000002
【特許請求の範囲】
【請求項１】
表示面（ＳＳ）を叩いている物体に対応する画像を取り込むことと、
前記画像をコンピュータコマンドとして解釈することとを含むことを特徴とする方法。
【請求項２】
表示面（ＳＳ）に近接していることが検出された複数の物体の１つ又は複数の特性を認識することと、
前記１つ又は複数の特性を関連するコンピュータコマンドとして解釈することであって、前記コンピュータコマンドが、いくつの物体が検出されたか、及び前記検出された物体のうちどれが移動中であるか、前記検出された物体のうちどれが実質的に静止しているかに基づく、解釈することとを含むことを特徴とする方法。
【請求項３】
画像を前記表示面（ＳＳ）に表示することをさらに含むことを特徴とする請求項２に記載の方法。
【請求項４】
表示面（ＳＳ）に近接している複数の物体を検出することと、
前記１つ又は複数の物体に、制御装置に関連する機能を割り当てることであって、前記機能は、いくつの物体が検出されたか、及び前記検出された物体のうちどれが移動中であるか、前記検出された物体のうちどれが実質的に静止しているかに基づく、割り当てることとを含むことを特徴とする方法。
【請求項５】
画像を前記表示面（ＳＳ）に表示することをさらに含むことを特徴とする請求項４に記載の方法。
【請求項６】
コンピュータ実行可能命令（１５１）を含むコンピュータ可読媒体を備える装置（１００）であって、前記コンピュータ実行可能命令は制御電子回路（１５０）に、
表示面（ＳＳ）を叩いている物体に対応し、光学受信器（１３０）によって取り込まれる画像についての情報を受け取らせ、
前記情報をコンピュータコマンドとして解釈させるように構成されることを特徴とする装置。
【請求項７】
コンピュータ実行可能命令（１５１）を含むコンピュータ可読媒体を備える装置（１００）であって、前記コンピュータ実行可能命令は制御電子回路（１５０）に、
表示面（ＳＳ）に近接していることが検出された複数の物体を示す情報を、光学受信器（１３０）から受け取らせ、
前記情報を使用させて、前記物体の１つ又は複数の特性を認識させ、
前記１つ又は複数の特性を関連するコンピュータコマンドとして解釈させることであって、前記コンピュータコマンドは、いくつの物体が検出されたか、及び前記検出された物体のうちどれが移動中であるか、前記検出された物体のうちどれが実質的に静止しているかに基づく、解釈させるように構成されることを特徴とする装置。
【請求項８】
表示パネル（１１０）と、
画像を前記表示パネルに投影するように構成される第１の構成要素（１２０）と、
前記表示パネルを光学的にスキャンすると共に、光学スキャンを用いて信号を生成するように構成される第２の構成要素（１３０）と、
前記信号を受け取り、前記信号を使用することで、前記表示パネルに近接していることが検出された複数の物体の１つ又は複数の特性を認識すると共に、前記１つ又は複数の特性を関連するコンピュータコマンドとして解釈するように構成されるコントローラ（１５０）であって、前記１つ又は複数の特性は、いくつの物体が検出されたか、及び前記検出された物体のうちどれが移動中であるか、前記検出された物体のうちどれが実質的に静止しているかを含むコントローラ（１５０）とを備えることを特徴とする表示システム（１００）。
【請求項９】
表示パネル（１１０）と、
画像を前記表示パネルの第１の側に、前記表示パネルの第２の側から閲覧可能なように投影する手段（１２０）と、
前記表示パネルの前記第２の側に近接していることが検出された複数の物体の１つ又は複数の特性を認識する手段（１３０、１５０、１５１）と、
前記物体の１つ又は複数の特性を関連するコンピュータコマンドとして解釈する手段（１３０、１５０、１５１）であって、前記１つ又は複数の特性は、いくつの物体が検出されたか、及び前記検出された物体のうちどれが移動中であるか、前記検出された物体のうちどれが実質的に静止しているかを含む、解釈する手段（１３０、１５０、１５１）とを備えることを特徴とする装置（１００）。
【請求項１０】
閲覧可能な画像を表示するように構成される表示面（ＳＳ）と、
前記表示面に近接している複数の指先（ＦＴ）から反射された光を受けると共に、前記指先を示す信号を生成するように構成される光学受信器（１３０）と、
前記信号の受信に応答して、前記信号を受け取って前記信号を使用することにより、前記指先の少なくとも１つの特性を認識し、及び前記１つ又は複数の特性を関連するコンピュータコマンドとして解釈することであって、前記１つ又は複数の特性がいくつの指先が検出されたか、前記検出された指先のうちどれが移動中であるか、前記検出された指先のうちどれが実質的に静止しているかを含む、解釈するように構成されるコントローラ（１５０）とを備えることを特徴とする装置（１００）。
【発明の詳細な説明】
【背景技術】
【０００１】
表示システムは、インタラクティブ機能を有するように構成することができる。インタラクティブ機能は、表示システムが表示システムのユーザからの入力コマンド及び／又は入力データを受け取れるようにすることができる。しかし、表示システムと併せていくつかの入力装置を使用することに関連するいくつかの欠点がある可能性がある。
【発明を実施するための最良の形態】
【０００２】
図面を参照すると、図１は、本開示の少なくとも１つの実施形態による装置又はシステム１００の概略図を示す。図１に示す概略図は、装置１００の特定の構成に応じて側面断面図又は平面断面図であることができる。装置１００は実質的に表示システム等の形態であることができる。すなわち、装置１００は概して、装置の１人又は複数のユーザが閲覧可能な画像を表示するように構成することができる。
【０００３】
装置１００は表示パネル１１０を含むことができる。表示パネル１１０は図示のように略平坦であることができるが、そうでなくてもよい。表示パネル１１０は実質的に板の形態であることができる。表示パネル１１０を略垂直すなわち直立の向きを有するものとして示すが、表示パネルは任意の適した向きを有してもよいことが理解される。たとえば、図示していないが、表示パネル１１０は略水平の向きを有してもよい。すなわち、装置１００は、表示パネル１１０が略水平の「卓上」表示パネルであるような向きを有してもよい。
【０００４】
表示パネル１１０は略透明であることができる。表示パネル１１０は、ガラス、ポリカーボネート等の任意の数の適した材料から製造することができるが、これらに限定されない。表示パネル１１０は、異なる材料の組成物から製造することもできる。たとえば、表示パネル１１０は、各層を実質的に異なる材料から製造することができる複数の層（図示せず）で構成してもよい。
【０００５】
表示パネル１１０は、第１の側１１１及び対向する第２の側１１２を有することができる。第１の側１１１及び第２の側１１２は互いに略平行であることができるが、そうでなくてもよい。表示面「ＳＳ」を表示パネル１１０上に画定することができる。表示面ＳＳは、表示パネル１１０の第１の側１１１に画定することができる。表示パネル１１０はシャシ８０又は他の同様の支持構造で支持することができる。
【０００６】
表示パネル１１０は、表示面ＳＳ上すなわち第１の側１１１から見ることができる閲覧可能な画像を表示するように構成される。閲覧可能な画像は、任意の数の適した画像生成装置によって表示パネル１１０の表示面ＳＳ上に表示することができる。たとえば、装置１００は、閲覧可能な画像を生成するように構成される撮像装置１２０を備えることができる。撮像装置１２０は、表示パネル１１０上に閲覧可能な画像を投影するようにさらに構成することができる。
【０００７】
より具体的には、撮像装置１２０は、閲覧可能な画像を表示パネル１１０の第２の側１１２に向けて投影させるように構成されるため、閲覧可能な画像を第１の側１１１から見ることができ、且つ／又は閲覧可能な画像を表示面ＳＳ上で見ることができる。撮像装置１２０は、任意の数の適した特定の形態及び／又は構成を有することができる。たとえば、撮像装置１２０は実質的に、デジタル光プロジェクタ（すなわち「ＤＬＰ」）の形態であることができる。撮像装置１２０はシャシ８０上に支持することができる。
【０００８】
例示的な実施形態では、撮像装置１２０は１つ又は複数の空間光変調器（図示せず）を備え、且つ／又は実質的に１つ又は複数の空間光変調器の形態であることができる。一般に、空間光変調器は、専用光源（図示せず）と併せて利用されてパネル１１０上にピクセル配列を形成して閲覧可能な画像を画定することができるピクセル素子配列（図示せず）を含む。
【０００９】
各ピクセル素子は、ピクセルの知覚強度を決める各画像ピクセルの強度及び／又は「オン時間」を調整するように制御することができる。空間光変調器の例としては、「マイクロミラー」、「デジタル光プロセッサ」、及び「液晶ディスプレイ」（すなわち「ＬＣＤ」パネル）等の装置が含まれるがこれらに限定されない。撮像装置１２０は、所与の光周波数スペクトル特性を有する濾波光を生成するように構成される１つ又は複数のカラーフィルタ（図示せず）を含むことができる。
【００１０】
本開示の少なくとも１つの実施形態によれば、装置１００は、装置のユーザが、ユーザの１本又は複数本の指先「ＦＴ」等の１つ若しくは複数の物体を表示パネル１１０に近接させるか、又は接触させることにより、コマンド（入力コマンド及び／又はコンピュータコマンド等）及び／又はデータを装置及び／又は装置の各種構成要素に伝達できるようにさらに構成することができる。
【００１１】
本開示の各種実施形態によれば、指先ＦＴ以外の各種の物体を使用してもよいことを認識されたい。たとえば、本開示の一実施形態では、指の別の部分等、たとえば１つ若しくは複数の指の関節又は１本若しくは複数本の親指等の或る種の部分を使用してもよい。他の実施形態では、１つ若しくは複数のポインタ又はさらにはペン若しくは鉛筆等の他の種類の部分を使用してもよい。
【００１２】
したがって、指先ＦＴが、ここでは本開示の例示的な実施形態による説明のための例として図示され説明されることを認識されたい。すなわち、本明細書での用語「指先」の特定の例示的な使用及び指先ＦＴの特定の例示的な説明は、本開示の各種実施形態による使用に、意図される物体の種類を限定する意図はない。したがって、用語「指先」（複数可）が本明細書において使用される箇所、及び指先ＦＴが本明細書において特に示される箇所がどこであっても、指先以外の他の特定種類の物体の使用が本開示の各種実施形態により意図されることを理解されたい。
【００１３】
より具体的には、装置１００は、装置のユーザがユーザの指先ＦＴ等の１つ又は複数の物体を、１つ又は複数の各種様式で表示パネル１１０の第１の側１１１に近接又は接触させて、コマンド（入力コマンド及び／又はコンピュータコマンド等）を装置１００の１つ又は複数の構成要素に伝達できるように構成することができる。
【００１４】
たとえば、１本又は複数本の指先ＦＴを、表示パネル１１０に近接又は接触している間に任意の数の様式で配置し、且つ／又は移動させることができ、１本又は複数本の指先の所与の位置及び／又は移動様式が、対応する関連のコンピュータコマンドを示す。コンピュータコマンド等及び／又はデータを伝達する１本又は複数本の指先ＦＴの位置及び／又は移動様式について、以下においてさらに詳細に考察する。
【００１５】
装置１００は、閲覧可能な画像が表示面ＳＳすなわち第１の側１１１に表示されている間に、表示パネル１１０に近接又は接触している１本又は複数本の指先ＦＴによって伝達されるコマンド及び／又はデータを認識するように構成することができる。表示パネル１１０に関連して１本又は複数本の指先ＦＴの位置を説明する際に本明細書において使用する用語「近接した」又は「近接している」の意味は、別段に特記される場合を除き、表示パネルに「接触」している指先を含むことを意図することが理解される。
【００１６】
すなわち、本明細書において表示パネル１１０に近接する、又は近接していると述べられる指先ＦＴ（又は他の物体）は、表示パネルにかなり近く、且つ／又は表示パネルに接触してもよい。さらに、添付図面のうちの１つ又は複数並びに書面での説明において提供される特定の説明のための例では、指先ＦＴが表示パネル１１０に接触した状態で示され、且つ／又は説明される場合もあるが、指先は表示パネルに接触せずに近接している状態であってもよいことが理解される。
【００１７】
装置１００は光学受信器１３０を備えることができる。光学受信器はシャシ８０上に支持することができる。光学受信器１３０は、表示パネル１１０の第１の側１１１に近接している状態の１本又は複数本の指先ＦＴを光学的に検出するように構成することができる。すなわち、たとえば、光学受信器１３０は、１本又は複数本の指先を照明する、又はそれに反射する光を受けることにより、表示パネル１１０の第１の側１１１に近接している少なくとも１本の指先ＦＴの存在を検出するように構成することができる。
【００１８】
本開示の少なくとも１つの実施形態によれば、光学受信器１３０は実質的に、表示パネル１１０の第２の側１１２に向けられている間に「写真をとる」ように構成されるカメラ等の形態であることができる。したがって、表示パネル１１０は、少なくとも所与のスペクトル周波数範囲の光を実質的に透過させることができるため、光学受信器１３０は、カメラが画像を取り込むように、１本又は複数本の指先の画像又はその指先に対応する画像を取り込むことにより、表示パネルに近接している１本又は複数本の指先ＦＴを検出することができる。
【００１９】
より具体的な例として、光学受信器１３０は、実質的に、図示のように、表示パネル１１０の第２の側１１２に照準が定められるか、又は向けられているときに光学受信器１３０が何を「見ている」かを示す「リアルタイム」デジタル信号及び／又はデジタルデータを生成するデジタルカメラの形態であることができる。光学受信器１３０は、実質的にカメラのように構成される場合、一連の静止「スナップショット」を撮影するように構成してもよく、又は実質的に連続した「ビデオストリーム」を撮影するように構成してもよい。
【００２０】
簡潔に上述したように、光学受信器１３０による指先の検出を容易にするために、表示パネル１１０に近接している１本又は複数本の指先ＦＴを照明することができる。指先ＦＴの照明は、任意の数の適した可能な光源から発することができる光によって実現することができる。たとえば、撮像装置１２０によって生成される光を使用して、表示パネル１１０に近接している指先ＦＴを照明することができる。
【００２１】
すなわち、撮像装置１２０によって生成される閲覧可能な画像の部分を構成する光を利用して、表示パネル１１０に近接している指先ＦＴを照明することができる。しかし、撮像装置１２０は、指先ＦＴの照明に使用することを意図される追加光を生成するように構成することができ、追加光は閲覧可能な画像の一部ではない。換言すれば、このような追加光は、撮像装置１２０によって生成される閲覧可能な画像にとって外部の光であり得る。さらに、日光等の周囲光又は装置１００の外部の光源からの光が、装置によって認識される指先ＦＴ及び／又は他の物体の少なくとも部分的な照明を提供することができる。
【００２２】
表示パネル１１０に近接している指先ＦＴを照明するための光は、撮像装置１２０とは別個のエネルギー源１３２によって生成することができる。エネルギー源１３２はシャシ８０上に支持することができる。エネルギー源１３２は、光学受信器１３０による１本又は複数本の指先ＦＴの検出を容易にするように、光エネルギーを表示パネル１１０の第２の側１１２に向けることのできる任意の適した位置にあることができる。エネルギー源１３２によって生成されて、指先ＦＴの照明に利用される光は、少なくとも部分的に可視光スペクトル外の光であることができる。
【００２３】
装置１００は、制御電子回路すなわちコントローラ１５０をさらに備えることができる。コントローラ１５０は、装置１００の動作に関わる各種の制御機能及び／又はデータ処理機能を実行するように構成することができる。コントローラ１５０は、１組のコンピュータ実行可能ステップ又は命令１５１を含むことができ、且つ／又はこれと通信可能にリンクすることができる。コンピュータ実行可能ステップ１５１は、実質的にコンピュータ可読媒体の形態であってよく、又はコンピュータ可読媒体に収容されてもよい。
【００２４】
コントローラ１５０は本明細書において概して説明する装置１００の残りの部分と別個であってもよいことが理解される。すなわち、装置１００は概して、コントローラ１５０なしのユニットとして構成することができ、この場合、コントローラはパーソナルコンピュータ等の別個の装置又はユニットに組み込まれ、そのコントローラが装置１００と通信可能にリンクすることで、本明細書において述べる制御機能を提供することができる。
【００２５】
コンピュータ実行可能ステップ１５１は、コントローラ１５０が、本明細書において特に述べる機能を含む各種機能を実行できるように構成することができるが、これらに限定されない。コンピュータ実行可能命令１５１は、コントローラ１５０に画像を表示パネル１１０上に表示させる等の各種機能を実行するように構成することができる。さらに、コントローラ１５０及び／又はコンピュータ実行可能ステップ１５１は、光学受信器１３０に関連して、表示パネル１３０に近接している指先ＦＴ等の物体の各種の識別性のある特徴又は特性を認識するように機能するように構成することができる。
【００２６】
指先ＦＴのこのような識別性のある特徴又は特性は、表示パネル１１０に近接している指先の本数、移動中の指先の数、及び／又は表示パネルに対して実質的に静止している指先の数、並びに互いに対する、及び／又は表示パネルに対する指先の相対位置及び／又はパターンを含むことができるがこれらに限定されない。
【００２７】
装置１００は、表示パネル１１０に近接している指先ＦＴの「画像」又は指先に対応する画像を取り込むことにより、指先ＦＴのそのような識別性のある特徴又は特性を認識する作業を実現することができる。指先ＦＴの又は対応する「画像」を検出又は取り込む作業は概して、上述したような方法で光学受信器１３０によって実行することができる。
【００２８】
次いで、光学受信器１３０は、表示パネル１１０に近接している指先ＦＴを示す入力信号をコントローラ１５０に送信することができる。より具体的には、たとえば、光学受信器１３０からコントローラ１５０に送信される入力信号は実質的に、表示パネル１１０の画像を含む、及び／若しくは示す、又は表示パネル１１０の画像に対応することができ、この画像には、表示パネルに近接している指先ＦＴが示されている。
【００２９】
コントローラ１５０は、コンピュータ実行可能ステップ１５１と併せて、光学受信器１３０から受信される入力信号を処理することができる。入力信号の処理は、入力信号の解析を含むことができる。入力信号のこのような解析は、コントローラ１５０及び／又はコンピュータ実行可能ステップ１５１によって実行することができる。コントローラ１５０及び／又はコンピュータ実行可能ステップ１５１は、１つ又は複数の各種の「物体認識」技術に関連した入力信号の解析を実行することができる。
【００３０】
たとえば、コントローラ１５０及び／又はコンピュータ実行可能ステップ１５１は、上述したような方法で光学受信器１３０によって取り込まれる表示パネル１１０のデジタル画像を解析するように構成することができる。コントローラ１５０及び／又はコンピュータ実行可能ステップ１５１は、画像に示される物体の特定の形状、及び／又は物体の特定のサイズ、及び／又は物体の特定の反射率、及び／又は物体の特定の色を含む、解析された画像の特定の特徴又は特性を認識するようにさらに構成することができるがこれらに限定されない。
【００３１】
このようにして、コントローラ１５０は、光学受信器１３０及び／又はコンピュータ実行可能ステップ１５１と併せて、表示パネルに近接している１本又は複数本の指先の形状、サイズ、及び／又は反射率等を認識することにより、表示パネル１１０の第１の側に近接している１本又は複数本の指先ＦＴの存在を認識するように構成することができる。コントローラ１５０及び／又はコンピュータ実行可能ステップ１５１は、光学受信器１３０によって取り込まれた画像（複数可）の追加の解析を実行するようにさらに構成することができる。
【００３２】
このような追加の解析には、表示パネル１１０に近接している指先ＦＴがいくつあるか及び／又は表示パネルに触れている指先がいくつあるかをより精密に測定することを含むことができる。これは、表示パネル１１０に近接している、及び／又は触れている指先として認識される指先ＦＴの数をカウントしてトラッキングするようにコントローラ１５０を構成することによって実現することができる。同様に、コントローラ１５０は、どの指先ＦＴが表示パネル１１０に対して移動しているか、及び／又はどの指先が表示パネルに対して実質的に静止しているかを認識するように構成することができる。
【００３３】
さらに、コントローラ１５０は、互いに対する指先ＦＴの各種パターン及び／又は位置を認識するように構成することができる。たとえば、コントローラ１５０は、表示パネル１１０に近接している３本の指先ＦＴが略直線に配置されていることを認識するように構成することができる。又は、コントローラ１５０は、表示パネル１１０に近接している３本の指先ＦＴがたとえば略三角形に配置されていることを認識するように構成することができる。
【００３４】
さらなる例として、コントローラ１５０は、表示パネルに対する指先ＦＴの各位置を認識するように構成することができる。すなわち、指先ＦＴは、表示パネル１１０の所与のエリア内にあるものとして認識することができ、所与のエリアは、いくつかの可能なパラメータの観点で画定することができる。たとえば、表示パネル１１０の所与のエリアは、表示パネルの「上部」、表示パネルの「下部」、表示パネルの「右部」、又は表示パネルの「左部」等の表示パネルそれ自体に関連して画定することができる。
【００３５】
表示パネル１１０の所与のエリアはまた、表示パネルに表示される画像に関連して画定することもできる。たとえば、表示パネルの所与のエリアは、表示パネルに表示される所与の画像又は所与の画像の部分内にあるものとして画定することができる。このような所与の画像の例として、制御パネル画像等が挙げられるがこれに限定されない。
【００３６】
指先ＦＴの他の特徴又は特性をコントローラ１５０によって認識することができる。たとえば、表示パネル１１０に対する所与の指先ＦＴの移動方向が認識可能であり得る。すなわち、所与の指先ＦＴは、たとえば、表示パネル１１０の左側及び／又は表示パネルの上側に向かって移動しているものと認識することができる。さらに、所与の指先ＦＴの移動経路を認識することもできる。たとえば、所与の指先ＦＴを、所与の形状を有する経路に沿って移動しているものとして認識することができる。
【００３７】
本開示の少なくとも１つの例示的な実施形態によれば、画像シーケンスを光学受信器１３０によって取り込むことができ、イメージングシーケンスが表示パネル１１０に対する１本又は複数本の指先ＦＴの移動を取り込む。次いで、イメージングシーケンスを、コントローラ１５０及び／又はコンピュータ実行可能ステップ１５１がアクセス可能であるように記憶することができる。たとえば、このようなイメージングシーケンスは、コントローラ１５０及び／又はコンピュータ実行可能ステップ１５１がアクセス可能な、メモリ装置等（図示せず）に記憶することができる。
【００３８】
コントローラ１５０及び／又はコンピュータ実行可能ステップ１５１は、イメージングシーケンスにアクセスすると共に解析し、そのシーケンスの或る画像と、そのシーケンスの次の画像との間の差異を求めることができる。コントローラ１５０及び／又はコンピュータ実行可能ステップ１５１は、画像シーケンスの個々の画像間の差異に基づいて所与の移動を指先ＦＴに割り当てるように構成することができる。すなわち、コントローラ１５０は、２つ以上の所与の画像間の所与の差異を指先ＦＴの所与の移動として解釈することができる。さらに、コントローラ１５０及び／又はコンピュータ実行可能ステップ１５１は、１つ又は複数の方法により統計解析を実行して、イメージングシーケンス中の或る画像とその次の画像との間で最も可能性の高いマッチングを予測するように構成することができる。
【００３９】
画像シーケンス中の２つ以上の画像間の差異を、１つ又は複数の目的のために利用することができる。たとえば、画像取り込み速度に対する画像差を、表示パネル１１０に対する１本又は複数本の指先ＦＴの速度として解釈することができる。このようにして求められた指先ＦＴの速度を利用して、次の画像での所与の指先の位置を予測することができる。
【００４０】
用語「処理」は、表示パネル１１０に近接している１本又は複数の指先ＦＴの各種特徴又は特性を、関連するコマンド及び／又は入力データとして「解釈」することを含むことができる。すなわち、コントローラ１５０及び／又はコンピュータ実行可能命令１５１は、表示パネル１１０に近接している１本又は複数本の指先ＦＴの認識された所与の識別性のある特徴又は特性を、関連するコンピュータコマンド又は関連するコンピュータコマンドの少なくとも部分として、及び／又は対応する入力データとして解釈するように構成することができる。
【００４１】
表示パネルに近接している指先ＦＴの所与の特徴又は特性をコンピュータコマンド又はその部分等として解釈することは、指先の認識された所与の特徴又は特性を所定の各コンピュータコマンド及び／又は入力データにマッチさせるように、コントローラ１５０及び／又はコンピュータ実行可能命令１５１を構成することによって実現することができる。
【００４２】
すなわち、コントローラ１５０は、まず、表示パネル１１０に近接している１本又は複数本の指先ＦＴの所与の特徴又は特性を認識し、次いでその認識された特徴又は特性を関連する所定のコンピュータコマンドにマッチするように構成することができる。これは、たとえば、光学受信器１３０にまず、表示パネル１１０に近接している、指先ＦＴ等の１つ又は複数の物体に対応する画像を取り込ませることによって実現することができる。このようなコンピュータコマンドの解釈の具体例について以下においてさらに考察する。
【００４３】
したがって、本開示の少なくとも１つの実施形態によれば、装置又はシステム１００等は、表示パネル１１０に近接している、指先ＦＴ等の物体に対応する画像を取り込み、その画像をコンピュータコマンドとして解釈するように構成することができる。取り込まれた画像は、表示パネル１１０に近接している物体の１つ又は複数の特徴及び／又は特性を示すことができる。
【００４４】
コントローラ１５０は、１本又は複数本の指先ＦＴの所与の特徴又は特性を特定の種類のコンピュータコマンドとして解釈することに応答して、特定のイベントを開始するように構成することができる。たとえば、コントローラ１５０及び／又はコンピュータ実行可能命令１５１は、表示パネル１１０に近接している１本又は複数本のＦＴの各種特徴又は特性から解釈されるコンピュータコマンドに応答して、画像更新を生成することができる。
【００４５】
画像更新を撮像装置１２０に送り、その結果撮像装置１２０によって生成され、且つ／又は投影される閲覧可能な画像に対して対応する改変又は変更が行われる。すなわち、コントローラ１５０及び／又はコンピュータ実行可能命令１５１は、コンピュータ１５０及び／又はコンピュータ実行可能ステップ１５１によって解釈されたコンピュータコマンドに応答して、撮像装置１２０に、撮像装置によって生成された閲覧可能な画像を改変及び／又は変更させるように構成することができ、コンピュータコマンドは、表示パネル１１０に近接している１本又は複数本の指先ＦＴの特徴又は特性を示す。
【００４６】
引き続き図面を参照すると、図２は、本開示の少なくとも１つの実施形態によるフローチャート２００を示す。フローチャート２００はＳ２０１において開始され、表示パネルに接触している１本又は複数本の指先を示すコンピュータコマンド又は信号に応答して、閲覧可能な画像を更新し、且つ／又は改変する基本ステップについて説明している。用語「更新」は、画像と併せての処理を説明する際に使用される場合、画像が知覚的に変更されることを示す場合もあれば示さない場合もあることを認識されたい。すなわち、本開示の１つ又は複数の実施形態による「画像を更新する」プロセスは、画像の更新の原因である各コンピュータコマンドに応じて、画像を変更すること及び画像を変更しないことのいずれかを含むことができる。
【００４７】
フローチャート２００は次にステップＳ２０３に進み、ステップＳ２０３によれば、光学受信器を利用して、表示パネルに近接している少なくとも１本の指先に対してスキャン又は「探索」する。すなわち、ステップＳ２０３によれば、光学受信器は、表示パネルに近接している実質的に指先の形態のコンピュータコマンド又は信号を探索するように構成され、閲覧可能な画像を表示パネルに表示することもできる。
【００４８】
ステップＳ２０３から、フローチャート２００は質問であるステップＳ２０５に移る。ステップＳ２０５の質問は、表示パネルに近接している少なくとも１本の指が検出されたか否かを問う。ステップＳ２０５の質問に対する答えが「いいえ」である場合、フローチャート２００はステップＳ２０３に戻り、ステップＳ２０３に従って、光学受信器は、表示パネルに近接している実質的に指先の形態のコンピュータ信号を引き続き「探索」する。
【００４９】
しかし、ステップＳ２０５の質問に対する答えが「はい」である場合、フローチャート２００はステップＳ２０７に進む。ステップＳ２０７において、表示パネルに近接している１つ又は複数の指先が、複数の特定のコンピュータコマンドのうちの１つとして解釈され、特定のコンピュータコマンドは表示パネルに近接している１本又は複数本の指先を示す。すなわち、特定のコンピュータコマンドは、表示パネルに近接している１本又は複数本の指先の少なくとも１つの特徴又は特性に依存する。
【００５０】
上述したように、表示パネル１１０に近接している１本又は複数本の指先ＦＴの「特徴」又は「特性」は、表示パネルに対する、及び／又は互いに対する指先の認識可能な位置及び又は移動様式等の任意の数の識別性のある軌跡であることができる。すなわち、特定のコンピュータコマンドを、表示パネル１１０に近接している１本又は複数本の指先ＦＴが互いに対して、及び／若しくは表示パネルに対して配置され、且つ／又は移動する様式に応じて解釈することができる。
【００５１】
表示パネル１１０に近接している１本又は複数本の指先ＦＴの識別性のある軌跡、特徴、又は特性の例としては、表示パネルに近接している指先の数がいくつあるか、表示パネルに対して動いている指先の数がいくつであるか、表示パネルに対して実質的に静止している指先の数はいくつであるか、表示パネルに対する１本又は複数本の指先の各位置、１本又は複数本の指先の互いに対する各位置、少なくとも１本の指先の移動経路、表示パネルに対する少なくとも１本の指先の移動方向、及び指先が軽く叩かれた回数を含め、１本又は複数本の指先が表示パネルを軽く叩いているか否かが挙げられるが、これらに限定されない。
【００５２】
特定のコンピュータコマンドがステップＳ２０７によって判断されると、フローチャート２００はステップＳ２０９に進む。ステップＳ２０９に従って、閲覧可能な画像を、特定のコンピュータコマンドに応答して、又はそれに応じて更新することができる。すなわち、閲覧可能な画像Ｓ２０９を、表示パネルに接触している１本又は複数本の指先を順々に示すコンピュータコマンドに応じて改変し、且つ／又は変更することができる。ここでも、上記で説明したように、用語「更新」としては、更新プロセスの原因である特定の各コンピュータコマンドに応じて、画像を物理的に変更すること、同じ画像を引き続き表示すること、又は略同一の画像を再び表示することが挙げられるがこれらに限定されない。
【００５３】
ステップＳ２０９から、フローチャート２００は別の質問であるステップＳ２１１に進む。ステップＳ２１１の質問では、表示パネルに近接している少なくとも１本の指先がまだあるか否かを問う。ステップＳ２１１の質問に対する答えが「はい」の場合、フローチャート２００はステップＳ２０７に戻り、さらなるコンピュータコマンドが、まだ表示パネルに近接している１本又は複数本の指先に基づいて解釈される。しかし、ステップＳ２１１の質問に対する答えが「いいえ」の場合、フローチャート２００はＳ２１３において終了する。
【００５４】
まださらに図面を参照すると、図３〜図７はそれぞれ、表示パネルを第２の側１１２から見た、図１に示し上述した装置１００の表示パネル１１０を示す。図３〜図７はそれぞれ、光学受信器１３０（図１に示し上述した）が「見る」、すなわち取り込むことができるものの例であり得る。すなわち、図３〜図７はそれぞれ、コントローラ１５０（図１に示す）により関連のコンピュータコマンドの少なくとも一部として認識することができる識別性のある特徴すなわち特性の各例を示す。
【００５５】
図３〜図７によって示す例は単に、コンピュータコマンドの少なくとも一部として認識することができる指先ＦＴの特徴又は特性の、説明のための数例にすぎないことが理解される。すなわち、図３〜図７に示す例は限定を意図するものではなく、本開示の１つ又は複数の実施形態によるコンピュータコマンドの少なくとも一部として認識できる指先ＦＴの特徴又は特性の多くの例の例示として提供される。
【００５６】
図３を特に参照して、本開示の少なくとも１つの実施形態による装置１００の表示パネル１１０の正面図を示す。図３に示す図は、表示パネルに近接している指先ＦＴを求めてスキャン又は「探索」する際に、光学受信器１３０によって「見られる」、すなわち取り込まれることができるものの例であることができる。なお、ここでも、以下の説明のための例では指先ＦＴが表示パネル１１０に「接触」しているものとして説明するが、本開示の各種実施形態による方法及び／又は装置は、表示パネルに近接している指先も同様に認識するように構成可能なことを理解されたい。
【００５７】
図３に示すように、１本の指先ＦＴを、表示パネル１１０に接触している際に検出することができる。表示パネル１１０に接触している１本の指先ＦＴを特定のコンピュータコマンドとして解釈することができる。たとえば、表示パネル１１０に接触している１本の指先ＦＴを、コンピュータマウス（図示せず）等の制御装置に関連する機能が１本の指先ＦＴに割り当てられるように、認識することができる。
【００５８】
本明細書において使用する用語「機能」は、装置１００の動作に少なくとも部分的に作用することができるものとして定義される。たとえば、本開示の一実施形態によれば、所与の指先ＦＴに、所与の制御装置に関連する機能が割り当てられた場合、その所与の指先は、その所与の制御装置に概して関連する様式で装置１００の動作に少なくとも部分的に作用することができる。より具体的には、たとえば、所与の指先ＦＴにコンピュータマウスに関連する機能が割り当てられた場合、その所与の指先を利用して装置１００に対して動作を実行することができ、こういった動作は通常、コンピュータマウスに関連するものである。
【００５９】
本開示の別の実施形態によれば、１本又は複数本の指先ＦＴ及び／又は他の物体（図示せず）に機能を割り当てることができ、装置１００は、指先及び／又は物体の各種位置、及び／又は形状、及び／又は移動を、制御コマンド及び／又はコンピュータコマンド等のコマンドの少なくとも部分として解釈することができる。たとえば、各種指先ＦＴを、所与の形態の手話等のように、装置１００により認識されるように移動させ、且つ／又は配置することができる。
【００６０】
本開示の例示的な実施形態によれば、表示パネル１１０に対する１本の指先ＦＴの移動が、指先の認識可能な特徴又は特性であることができる。指先ＦＴが移動する（又は移動しない）様式が、指先の認識可能なさらなる特徴又は特性であることができる。たとえば、表示パネル１１０に対して実質的に静止している又は動きのない、表示パネル１１０に接触している１本の指先ＦＴを、第１の特定のコンピュータコマンド又はコンピュータコマンドの第１の部分として認識することができる。表示パネル１１０に対する１本の指先ＦＴの移動を、第２の特定のコンピュータコマンド又はコンピュータコマンドの第２の部分として認識することができる。すなわち、実質的に静止して表示パネル１１０に接触している１本の指先ＦＴが或る意味を有し、表示パネルを横切って移動している１本の指先が別の意味を有することができる。
【００６１】
表示パネル１１０に接触している１本の指先ＦＴの移動方向を、またさらなる、又は別の意味を有するものとして認識することができる。たとえば、ＦＴ’で示す位置まで略直線で移動する指先ＦＴを、関連する所与の意味を有するものとして認識することができる。より具体的には、表示パネル１１０の縁に対して斜めに移動する指先ＦＴを、関連する特定の意味を有するものとして認識する一方で、表示パネルの縁に略平行に移動する指先を、関連する特定のさらに別の意味を有するものとして認識することができる。
【００６２】
さらなる例として、表示パネル１１０上の初期接触点から第２の位置ＦＴ’に移動する１本の指先ＦＴは、マウス移動コンピュータコマンドとして認識することができる。すなわち、指先ＦＴのそのような特徴、特性、又は移動を、カーソル（図示せず）を表示パネル１１０上の第１の位置から表示パネル上の第２の位置に移動させるコマンドとして解釈することができ、カーソルは、撮像装置１２０（図１に示される）により生成されると共に表示パネルに表示される画像の少なくとも部分として表示することができる。
【００６３】
別の具体例として、１本の指先ＦＴを、表示パネル１１０を軽く叩くことによって表示パネル１１０に対して移動させることができる。表示パネル１１０を軽く叩く指先ＦＴは、たとえばマウスクリックとして認識することができる。すなわち、１本の指先ＦＴを表示パネル１１０上で軽く叩くことは、マウスボタンのクリック又は押下に対応するコンピュータコマンドとして認識することができる。より具体的には、表示パネル１１０を軽く叩く１本の指先ＦＴをマウスの左ボタンクリックコマンドとして認識することができる。さらに、指先ＦＴが表示パネルを軽く叩く回数が、関連する特定の意味を有することができる。
【００６４】
図４に移り、本開示の少なくとも１つの実施形態による装置１００の表示パネル１１０の別の正面図を示す。図４には、表示パネル１１０に接触している１本の指先ＦＴの移動のさらに別の例を示す。具体的には、表示パネル１１０に接触している少なくとも１本の指先ＦＴを、関連する特定のコンピュータコマンド等として認識することができる特定の形状を有する経路に沿って移動させることができる。
【００６５】
たとえば、図示のように、表示パネル１１０に接触している１本の指先ＦＴを、略円形の移動経路に沿って移動させることができる。指先ＦＴは、移動経路の形状に対して所与の方向に移動するものとして認識することもできる。たとえば、図示のように、指先ＦＴを、概して円形で移動するもの、及び反時計回りの方向に移動するものとして認識することができる。したがって、指先ＦＴの移動経路の形状及び経路に沿った移動方向をそれぞれ、関連する各意味を有するものとして解釈することができる。
【００６６】
表示パネル１１０に接触している指先ＦＴの多くの移動経路が、本開示の少なくとも１つの実施形態により可能である。たとえば、認識可能な移動経路の他の例として、「Ｚ」パターン、「Ｓ」パターン、「Ｘ」パターン、数字の「８」パターン、正方形パターン、三角形パターン等が挙げられるが、これらに限定されない。
【００６７】
これより図５に移り、本開示の少なくとも１つの実施形態による装置１００の表示パネル１１０のさらに別の正面図を示す。図５に示すように、２本以上の指先ＦＴを、表示パネル１１０に接触しているものとして認識することができる。さらに、表示パネル１１０に接触している１本又は複数本の指先ＦＴを表示パネルに対して移動するものとして認識し、他の指先を表示パネルに対して実質的に静止しているものとして認識することができる。
【００６８】
より具体的には、図５に示すように、第１の指先ＦＴ１を、表示パネル１１０に実質的に静止して接触しているものとして認識し、同時に、第２の指先ＦＴ２を、表示パネルに対して初期位置からＦＴ２’で示す第２の位置に移動しているものとして認識することができる。第２の指先ＦＴ２が表示パネル１１０を移動している間、表示パネルに対して実質的に静止した第１の指先ＦＴ１を、関連する特定のコンピュータコマンド又はコンピュータコマンドの部分等として解釈することができる。
【００６９】
第２の指先ＦＴ２を、図５に示すような略直線での移動を含む可能な任意の様式で移動させることができるが、これに限定されない。第２の指先ＦＴ２を移動させることができる別の様式は、第１の指先ＦＴ１が表示パネル１１０に対して実質的に静止している間に第２の指先が表示パネルを軽く叩くことである。
【００７０】
第２の指先ＦＴ２のこのような軽く叩く動きを、関連する特定の意味を有するものとして解釈することができる。たとえば、第２の指先ＦＴ２が表示パネルを軽く叩く間に表示パネル１１０に対して実質的に静止している第１の指先ＦＴ１をが、マウスの右ボタンクリックコマンドとして解釈することができる。
【００７１】
図６に移り、本開示の少なくとも１つの実施形態による装置１００の表示パネル１１０のさらに別の正面図を示す。図６に示すように、表示パネル１１０に接触している第１の指先ＦＴ１及び表示パネルに接触している第２の指先ＦＴ２が両方とも、表示パネルに対して実質的に静止することができ、その間、表示パネルに接触している第３の指先ＦＴ３が表示パネルに対して移動している。
【００７２】
すなわち、２本以上の指先ＦＴ１、ＦＴ２が表示パネル１１０に対して実質的に静止することができ、その間同時に、少なくとも１本の指先ＦＴ３が表示パネルに対して移動している。具体例として、図６に示す指先ＦＴ１、ＦＴ２、及びＦＴ３の特徴すなわち特性を「画面スクロール」コマンド又は「ページスクロール」コマンドとして解釈することができる。
【００７３】
これより図７を参照して、本開示の少なくとも１つの実施形態による装置１００の表示パネル１１０のさらに別の正面図を示す。図７に示すように、表示パネル１１０に接触している第１の指先ＦＴ１は実質的に静止することができ、その間、表示パネルに接触している第２の指先ＦＴ２及び表示パネルに接触している第３の指先ＦＴ３は両方とも、各初期位置から各第２の位置ＦＴ２’及びＦＴ３’に表示パネルに対して移動することができる。
【００７４】
すなわち、図７に示すように、１本又は複数本の指先ＦＴ１は表示パネル１１０に対して実質的に静止することができ、その間同時に、２本以上の指先ＦＴ２、ＦＴ３は表示パネルに対して移動する。第２の指先ＦＴ２及び第３の指先ＦＴ３の移動は、任意の数の可能な形態をとることができる。たとえば、第２の指先ＦＴ２及び第３の指先ＦＴ３は、第１の指先ＦＴ１に対して実質的に周辺を移動することができる。
【００７５】
換言すれば、第２の指先ＦＴ２及び第３の指先ＦＴ３は、第１の指先ＦＴ１の周囲を移動することができ、第１の指先ＦＴ１を実質的に回転軸として使用することができる。１本又は複数本の指先ＦＴ１、ＦＴ２、ＦＴ３のこのような動きは、複数の可能なコンピュータコマンド等の１つとして認識することができる。たとえば、図７に関連して上述した指先ＦＴ１、ＦＴ２、ＦＴ３のこのような移動は、「オブジェクト回転」コマンドとして解釈することができる。
【００７６】
表示パネル１１０に近接している１本又は複数本の指先ＦＴの各種特徴すなわち特性を解釈するさらに別の例として、表示パネル１１０に近接している所与の数の指先を、閲覧可能な画像のエリアに色を付加する、関連する色の「ペイントブラシ」を起動させるコマンドとして解釈することができる。より具体的には、表示パネル１１０に近接している１本の指先ＦＴの検出を、第１の色のペイントブラシを起動させるコンピュータコマンドとして解釈することができる。
【００７７】
同様に、表示パネル１１０に近接している２本の指先ＦＴの検出を、第２の色のペイントブラシを起動させるコンピュータコマンドとして解釈することができる。同様に、表示パネル１１０に近接している３本の指先ＦＴの認識を、第３の色のペイントブラシを起動させるコンピュータコマンドとして解釈することができ、表示パネルに近接している４本の指先又は５本の指先の検知に関しても同様である。
【００７８】
本開示の少なくとも１つの実施形態によれば、コンピュータ実行可能命令１５１は、光学受信器１３０から情報を受け取るように構成することができる。この情報は、表示面ＳＳへの近接が検出される指先ＦＴ等の少なくとも１つの物体を示すことができる。
【００７９】
コンピュータ実行可能命令１５１は、その情報を使用して、物体ＦＴの少なくとも１つの特性及び／又は特徴を認識し、その特性及び／又は特徴を関連するコンピュータコマンドとして解釈するようにさらに構成することができる。コンピュータコマンドが基づく特定の特性及び／又は特徴として、表示面ＳＳに近接していることが検出される物体ＦＴがどれだけあるか並びに検出された物体のうちどれが移動中でどれが実質的に静止しているかが挙げられるが、これらに限定されない。
【００８０】
コンピュータコマンドが基づくことができる他の特性及び／又は特徴として、物体ＦＴが表示面ＳＳを軽く叩くことが挙げられる。表示面ＳＳを軽く叩いている物体ＦＴを、コンピュータマウスの「クリック」として解釈することができる。特性及び／又は特徴の別の例は、実質的に静止した第１の物体ＦＴ及び表示面ＳＳを軽く叩く第２の物体である。これはマウスの右「クリック」として解釈することができる。
【００８１】
コンピュータコマンドが基づくことができるさらに別の特性及び／又は特徴は、実質的に静止した第１の物体ＦＴ及び表示面を実質的に横切って移動する第２の物体である。コンピュータ実行可能命令１５１は、これを「ページスクロール」コマンドとして解釈することができる。コンピュータコマンドが基づくことができるさらに別の特性及び／又は特徴は、実質的に静止した第１の物体ＦＴ、実質的に静止した第２の物体、及び表示面ＳＳを実質的に横切って移動する第３の物体である。これも「ページスクロール」コマンドとして解釈することができる。
【００８２】
コンピュータコマンドは、実質的に静止した第１の物体ＦＴ、表示面ＳＳを実質的に横切って移動する第２の物体、及び表示面を実質的に横切って移動する第３の物体に基づくことができる。コンピュータ実行可能命令１５１は、これを「オブジェクト回転」コマンドとして解釈することができる。本発明のさらに別の実施形態によれば、コンピュータコマンドは、所定のペイントブラシ色を起動させるコマンドであることができ、その色には、表示面ＳＳに近接していることが検出される物体ＦＴがいくつあるかということに関連付けられる。
【００８３】
さらに別の例として、コンピュータコマンドは、表示面ＳＳに対する各物体ＦＴの各位置に基づくことができる。コンピュータコマンドは、別の物体に対する少なくとも１つの物体ＦＴの移動方向に基づくことができる。コンピュータコマンドは、１つの物体ＦＴと別の物体との間の所与の距離に基づくことができる。さらに、コンピュータコマンドは、別の物体及び／又は表示面ＳＳに対する１つの物体ＦＴの速度に基づくことができる。
【００８４】
コンピュータ実行可能命令１５１は、コンピュータコマンドに応答して動作を実行させるようにさらに構成することができる。動作は、装置１００が実行可能な任意の動作であることができる。たとえば、動作は表示面ＳＳに表示されている画像の更新であることができるが、これに限定されない。本開示の別の実施形態によれば、装置１００等の表示システムは、すぐ上で述べたように実行するように実質的に構成されるコンピュータ実行可能命令１５１を含むことができる。
【００８５】
本開示の少なくとも１つの実施形態によれば、方法は、表示パネルに近接している少なくとも１つの物体を検出すること、及び少なくとも１つの物体の少なくとも１つの特徴又は特性を認識することを含む。画像は、認識された特徴又は特性を使用して更新することができる。たとえば、方法は、表示パネルに近接している１つ又は複数の物体の少なくとも１つの特徴又は特性を特定のコンピュータコマンドとして解釈することを含むことができる。方法は、図１及び図３〜図７に関連して上述した表示パネル１１０等の表示パネルを提供することを含むことができる。表示面を表示パネル上に画定することができる。画像を表示面に表示することができる。画像は、表示パネルの片側に、反対側から閲覧可能なように投影することによって表示することができる。
【００８６】
方法は、表示パネルに対して少なくとも１本の指先が近接及び／又は接触していることを光学的に検出することを含むことができる。表示パネルに対して少なくとも１本の指先が近接していることを光学的に検出したことに応答して、信号を生成することができる。信号は、表示パネルに近接している指先（複数可）を示すことができる。すなわち、信号は、指先（複数可）の少なくとも１つの特徴又は特性を示すことができる。
【００８７】
コントローラ１５０等のデジタル処理装置を、方法により含むことができる。この方法は、デジタル処理装置内で信号を処理することを含むことができる。信号を処理することは、信号をコンピュータコマンドとして解釈することを含むことができる。
【００８８】
信号を処理することは、指先等の１つ又は複数の物体の画像を取り込むことを含むことができると共に、表示パネルに近接している１本又は複数本の指先の所与の特徴又は特性を認識すること、及び所与の特徴又は特性を、その所与の特徴又は特性に関連する特定のコンピュータコマンドとして解釈することをさらに含むことができる。表示された画像は、信号に応答して、すなわち表示パネルに近接している１本又は複数本の指先又は１つ又は複数の物体の少なくとも１つの特徴又は特性に応じて、更新又は調整することができる。本開示の少なくとも１つの実施形態によれば、表示パネルに画像を表示することは、表示面にカーソルを表示することを含むことができる。画像を更新することは、カーソルを表示面に対して移動させることを含むことができる。
【００８９】
光学受信器を設け、表示パネルに向けることができる。光学受信器を利用して表示パネルを光学的にスキャンし、表示パネルに近接している１本又は複数本の指先を検出することができる。表示パネルに近接している１本又は複数本の指先は、表示パネルに近接している１本又は複数本の指先から反射された光を光学受信器で受けることによって検出することができる。光学受信器は、表示パネルに近接している１本又は複数本の指先を示す信号を生成することができる。
【００９０】
コントローラ又は制御電子回路を設けることができ、かつ、光受信器からの信号を受け取らせることができる。コントローラは、信号を任意の数の各種様式で処理することができる。たとえば、コントローラは、信号を解析することによってその信号を処理することができる。信号を解析した結果として、コントローラは、表示パネルに近接している１本又は複数本の指先の少なくとも１つの特徴又は特性を認識することができる。
【００９１】
信号を処理し、且つ／又は解析することは、表示面及び／又は表示パネルに近接している１本又は複数本の指先の少なくとも１つの特徴又は特性を認識することを含むことができる。処理し、且つ／又は解析することは、少なくとも１つの認識された特徴又は特性を関連するコンピュータコマンドとして解釈することを含むこともできる。
【００９２】
このような認識可能な特徴又は特性として、表示パネル及び／又は表示面に近接及び／又は接触している指先がいくつあるか、表示面及び／又は表示パネルに対して移動している及び／又は実質的に静止している指先がいくつあるか、表示パネル及び／又は表示面に対する１本又は複数本の指先の各位置、１本又は複数本の指先の互いに対する各位置、指先のうちの１本又は複数本の移動経路の形状及び／又はその移動経路に沿った移動方向、並びに１本又は複数本の指先が表示面及び／又は表示パネルを軽く叩いているか否か並びに叩く回数を含むことができるがこれらに限定されない。
【００９３】
本開示の少なくとも１つの実施形態によれば、方法は、表示面上に画像を表示することを含むことができる。方法は、表示面を軽く叩いている物体を認識すること、及び表示面を軽く叩いている物体を関連するコンピュータコマンドとして解釈することを含むことができる。上記で説明したように、物体はたとえば指先ＦＴであることができるが、これに限定されない。コンピュータコマンドはマウスの「クリック」であることができるが、これに限定されない。
【００９４】
本開示の少なくとも１つの実施形態によれば、方法は、表示面に近接していることが検出された複数の物体の１つ又は複数の特性及び／又は特徴を認識することを含むことができる。方法は、１つ又は複数の特性及び／又は特徴を関連するコンピュータコマンドとして解釈することを含むことができる。コンピュータコマンドは、検出された物体がいくつであるか、及び検出された物体のどれが移動中でありどれが実質的に静止しているかに基づくことができる。
【００９５】
方法は、表示面に画像を表示することを含むことができる。方法は、１つ又は複数の特性及び／又は特徴をコンピュータコマンドとして解釈したことに応答して、動作を実行することを含むことができる。方法は、実質的に静止した第１の物体及び表示面を軽く叩いている第２の物体を所定のコンピュータコマンドとして解釈することを含むことができる。所定のコンピュータコマンドは、コンピュータマウスの右「クリック」であり得る。
【００９６】
方法は、実質的に静止した第１の物体及び表示面を実質的に横切って移動している第２の物体を所定のコンピュータコマンドとして解釈することを含むことができる。このコマンドは、たとえば、「ページスクロール」コマンドである。方法は、実質的に静止した第１の物体、実質的に静止した第２の物体、及び表示面を実質的に横切って移動している第３の物体を所定のコンピュータコマンドとして解釈することを含むことができる。このコマンドは、たとえば、ページスクロールコマンドであり得る。
【００９７】
方法は、実質的に静止した第１の物体、表示面を実質的に横切って移動している第２の物体、及び表示面を実質的に横切って移動している第３の物体を所定のコンピュータコマンドとして解釈することを含むことができる。このコンピュータコマンドは、たとえば、「オブジェクト回転」コマンドであり得る。
【００９８】
本開示の少なくとも１つの実施形態によれば、方法は、表示面に近接している複数の物体を検出すること、及び１つ又は複数の物体に制御装置に関連する機能を割り当てることを含むことができる。制御装置は、コンピュータマウス、ジョイスティック、及びキーボードであることができるが、これらに限定されない。機能は、検出された物体がいくつあるか、及び検出された物体のどれが移動中であり、どれが実質的に静止しているかに基づくことができる。方法は、表示面に画像を表示することを含むことができ、機能は画像の更新を含むことができる。
【００９９】
本開示の少なくとも１つの実施形態によれば、方法は、表示面を軽く叩いている物体に対応する画像を取り込むことを含むことができる。方法は、その画像をコンピュータコマンドとして解釈することをさらに含むことができる。物体は、たとえば指先であり得る。コンピュータコマンドは、たとえばマウスクリックであり得る。方法は、第２の画像を表示面に表示することを含むことができる。すなわち、「取り込まれる」画像は、表示面に表示される画像と何らかの様式で異なってもよい。
【０１００】
本発明の少なくとも１つの実施形態によれば、方法は、表示面に近接している複数の物体を検出すること、及び１つ又は複数の物体に制御装置に関連する機能を割り当てることを含むことができ、その機能は、検出された物体がいくつあるか、及び検出された物体のどれが移動中であり、どれが実質的に静止しているかに基づく。方法は、画像を表示面に表示することをさらに含むことができ、機能は、たとえば、画像の更新を含み得る。
【０１０１】
制御装置は、入力コマンド等の制御信号及び／又は制御コマンドを生成するように構成される任意の制御装置であることができる。制御装置は、たとえば、コンピュータマウス、ジョイスティック、又はキーボードであり得る。さらに、複数の物体はそれぞれ、各指先であることができる。
【０１０２】
上記説明は、本開示の各実施形態による方法及び装置を図示し説明するためにのみ提示されたものである。網羅的であること、すなわち本開示を開示した厳密ないずれの形態にも限定することを意図していない。上記教示を鑑みて多くの変更及び変形が可能である。特許請求の範囲の主題の範囲は添付の特許請求の範囲によって規定されるものである。
【図面の簡単な説明】
【０１０３】
【図１】本開示の一実施形態による装置の実施形態の概略図を示す。
【図２】本開示の方法の一実施形態によるフローチャートを示す。
【図３】１本又は複数本の指先の認識可能な特徴又は特性の例が示される、本開示の一実施形態による表示パネルの実施形態の正面図を示す。
【図４】１本又は複数本の指先の認識可能な特徴又は特性の例が示される、本開示の一実施形態による表示パネルの実施形態の別の正面図を示す。
【図５】１本又は複数本の指先の認識可能な特徴又は特性の例が示される、本開示の一実施形態による表示パネルの実施形態の別の正面図を示す。
【図６】１本又は複数本の指先の認識可能な特徴又は特性の例が示される、本開示の一実施形態による表示パネルの実施形態の別の正面図を示す。
【図７】１本又は複数本の指先の認識可能な特徴又は特性の例が示される、本開示の一実施形態による表示パネルの実施形態の別の正面図を示す。
【図１】
2008524697.tif 000003
【図２】
2008524697.tif 000004
【図３】
2008524697.tif 000005
【図４】
2008524697.tif 000006
【図５】
2008524697.tif 000007
【図６】
2008524697.tif 000008
【図７】
2008524697.tif 000009
【国際調査報告】
2008524697.tif 000010
2008524697.tif 000011
2008524697.tif 000012